(57)【要約】【課題】衛生用品を装着するときの装着方法と感触及びその装着状態を対象者に適切に伝えることが可能な模型及びこの模型を有する衛生用品の収容体を提供する。【解決手段】  模型は、身体の衛生用品が装着される部分を模した穴部が形成された模型本体を備えている。模型本体は、衛生用品の挿入方向に沿って配置され、かつ穴部を挟んで配置された第１壁部及び第２壁部と、穴部よりも挿入方向先端側に配置され、かつ第１壁部及び第２壁部に連なる第３壁部と、を備える。第１壁部と第２壁部は、第３壁部よりも挿入方向後側において離間している。第１壁部と第２壁部のうち少なくともいずれか一方は、第３壁部を基点に変形し、かつ第１壁部と第２壁部の他方から離間する方向に移動可能に構成されている。【選択図】図１
2014123022.tif 000002
【特許請求の範囲】
【請求項１】
衛生用品の身体への装着方法を説明するための模型であって、
前記模型は、前記身体の衛生用品が装着される部分を模した穴部が形成された模型本体を備えており、
前記模型本体は、
前記衛生用品の挿入方向に沿って配置され、かつ前記穴部を挟んで配置された第１壁部及び第２壁部と、
前記穴部よりも前記挿入方向先端側に配置され、かつ前記第１壁部及び前記第２壁部に連なる第３壁部と、を備えており、
前記第１壁部と前記第２壁部は、前記第３壁部よりも前記挿入方向後側において離間しており、
前記第１壁部と前記第２壁部のうち少なくともいずれか一方は、前記第３壁部を基点に変形し、かつ前記第１壁部と前記第２壁部の他方から離間する方向に移動可能に構成されている、模型。
【請求項２】
前記穴部は、前記衛生用品が挿入される入口である挿入開口と、前記挿入開口から前記衛生用品の挿入方向に延び、前記衛生用品を収容する収容部と、を有しており、
前記第１壁部と前記第２壁部のうち少なくともいずれか一方は、前記挿入開口から前記収容部の前記挿入方向中央までの領域において、前記他方から離間する方向に移動可能に構成されている、請求項１に記載の模型。
【請求項３】
前記模型は、前記模型本体の前記第１壁部及び前記第２壁部に直交する面に沿って配置された固定部材を備えており、
前記固定部材は、前記穴部を囲む一側面を構成する、請求項１又は請求項２に記載の模型。
【請求項４】
前記第１壁部の一部及び前記第２壁部の一部は、前記固定部材に接合されている、請求項３に記載の模型。
【請求項５】
前記固定部材には、周囲の領域より剛性が低い脆弱部が前記衛生用品の挿入方向に沿って形成されており、
前記脆弱部は、前記穴部を囲む一側面を構成する領域に形成されている、請求項３又は請求項４に記載の模型。
【請求項６】
前記固定部材には、前記衛生用品の挿入方向に沿ってスリットが形成されており、
前記スリットは、前記穴部を囲む一側面を構成する領域に形成されている、請求項３又は請求項４に記載の模型。
【請求項７】
前記模型は、前記模型本体の外周面のうち、前記挿入方向に沿いかつ前記固定部材と直交する面を覆うカバー部材を備える、請求項３から請求項６のいずれかに記載の模型。
【請求項８】
前記第１壁部と前記第２壁部との間隔は、前記衛生用品の挿入方向と直交し、かつ前記第１壁部と前記第２壁部が離間する離間方向と直交する奥行方向の中心の間隔よりも前記奥行方向の外側端部の間隔が短い、請求項１から請求項７のいずれかに記載の模型。
【請求項９】
前記模型本体は、弾力性及び摩擦抵抗性を有する弾性素材からなる、請求項１から請求項８のいずれかに記載の模型。
【請求項１０】
請求項１から請求項９のいずれかに記載の模型と、この模型に装着される衛生用品を収容した包装体と、を有する、衛生用品の収容体。
【発明の詳細な説明】
【技術分野】
【０００１】
本発明は、模型及び衛生用品の収容体に関し、特に衛生用品を使用する際にその装着方法を練習することが可能である模型及び衛生用品の収容体に関する。
【背景技術】
【０００２】
生理用品や避妊具などの衛生用品の使用方法は、その装着手順を衛生用品の外装に記述するか、装着手順を書いた紙を説明書として衛生用品に同封していた。しかし、上記の説明書だけでは、装着の仕方を実行可能な程度に理解できない対象者が多く、装着する時の感触を対象者に伝えることもできないという問題点があった。
【０００３】
このような問題に鑑みて、衛生用品を装着するときの装着方法と感触及びその装着状態を対象者に伝えることが可能な模型及び模型を用いた説明用具が提供されている（例えば、特許文献１参照）。この模型は、身体の衛生用品が装着される部分を模しており、衛生用品が着脱可能な程度に略原寸大である模型本体を備えている。この模型によれば、模型本体を用いて装着方法と感触等を対象者に伝えることができる。
【先行技術文献】
【特許文献】
【０００４】
【特許文献１】特開２００５−１２８０８８号公報
【発明の概要】
【発明が解決しようとする課題】
【０００５】
特許文献１の模型の模型本体は、身体の衛生用品が装着される部分を簡略的に表現したものであり、例えば、タンポンを挿入するための膣が形成されている。この模型本体の膣は、膣形成部材によって囲まれた一定の空間である。しかし、タンポン等の衛生用品は、一般的に複数のサイズが提供されている。よって、一のサイズで適切な装着感を体感させることができる場合であっても、他のサイズでは、模型本体の膣が大き過ぎたり、模型本体の膣小さ過ぎたりして、適切な装着感を体感させることができないおそれがあった。
【０００６】
そこで、本発明は、上述の課題に鑑みてなされたものであり、衛生用品を装着するときの装着方法と感触及びその装着状態を対象者に適切に伝えることが可能な模型及びこの模型を有する衛生用品の収容体を提供すること目的とする。
【課題を解決するための手段】
【０００７】
本開示に係る模型は、衛生用品の身体への装着方法を説明するための模型であって、前記模型は、前記身体の衛生用品が装着される部分を模した穴部が形成された模型本体を備えており、前記模型本体は、前記衛生用品の挿入方向に沿って配置され、かつ前記穴部を挟んで配置された第１壁部及び前記第２壁部と、前記穴部よりも前記挿入方向先端側に配置され、かつ前記第１壁部及び前記第２壁部に連なる第３壁部と、を備えており、前記第１壁部と前記第２壁部は、前記第３壁部よりも前記挿入方向後側において離間しており、前記第１壁部と前記第２壁部のうち少なくともいずれか一方は、前記第３壁部を基点に変形し、かつ前記第１壁部と前記第２壁部の他方から離間する方向に移動可能に構成されていることを要旨とする。
【０００８】
また、本開示に係る衛生用品の収容体は、上述の模型と、この模型に装着される衛生用品が収容された包装体と、を有することを要旨とする。
【発明の効果】
【０００９】
本開示によれば、衛生用品を装着するときの装着方法と感触及びその装着状態を対象者に適切に伝えることが可能な模型及びこの模型を有する衛生用品の収容体を提供することができる。
【図面の簡単な説明】
【００１０】
【図１】本実施形態に係る模型の斜視図である。
【図２】図１に示したＡ−Ａ線に沿った模型の断面図である。
【図３】衛生用品を挿入した状態の模型の正面図である。
【図４】衛生用品を挿入した状態の模型の変形状態を説明するための図である。
【図５】変形例１に係る模型の斜視図である。
【図６】変形例２に係る模型の斜視図である。
【図７】変形例３に係る模型の断面図である。
【図８】実施形態に係る衛生用品の収容体の斜視図である。
【発明を実施するための形態】
【００１１】
次に、本発明に係る模型１の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
実施形態の模型は、衛生用品がタンポンである場合における模型を示す。本発明におけるタンポンとは、経血を吸収し保持するための吸収体７４（図４参照）と、この吸収体を膣内に送り込むアプリケーター７１（図３参照）と、を備えたものをいう。なお、吸収体の一方にはこれを取り出すための紐が設けられている。また、アプリケーター７１とは、吸収体を収納するための収納部を有する外筒７２（図３参照）と、外筒内の吸収体を押圧して、外筒内の吸収体を押し出すための内筒７３（図３参照）と、を備えたものをいう。
【００１４】
なお、本発明において衛生用品とは、タンポン、陰唇間パッド等の生理用品またはコンドーム、女性用避妊具等をいう。陰唇間パッドとは、女性の陰唇の内側に挟み込んで経血を吸収するパッドのことをいう。これら衛生用品の種類は特に問わないが、対象者の体の内部に装着するタンポンまたは女性用避妊具であることが好ましい。
【００１５】
模型１は、身体の衛生用品が装着される部分を模した穴部１８が形成された模型本体１０と、外装体２０と、を備える。模型本体１０は、ウレタンフォームからなり、膣部を模した穴部１８が形成されている。外装体２０は、模型本体１０の外周面を覆う。模型１はタンポンの挿入方向Ｌと、挿入方向Ｌに直交し、かつ後述する第１壁部と第２壁部とが離間する方向に沿う幅方向Ｗと、挿入方向及び幅方向に直交する奥行方向Ｄと、を有する。
【００１６】
模型本体１０は、挿入方向Ｌに延びる穴部が形成されている。模型本体は、膣を模した穴部を形成する第１膣形成部１５と第２膣形成部１６を有する。模型本体１０は、衛生用品の挿入方向Ｌに沿って配置され、かつ穴部１８を挟んで配置された第１壁部１１及び第２壁部１２と、穴部１８よりも挿入方向先端側に配置され、かつ第１壁部１１及び第２壁部１２に連なる第３壁部１３を有する。第１壁部１１、第２壁部１２及び第３壁部１３は、穴部を囲む壁である。第１膣形成部の穴部側の面が第１壁部１１を構成し、第２膣形成部１６の穴部側の面が第２壁部１２を構成する。
【００１７】
第１壁部１１と第２壁部１２のうち少なくともいずれか一方は、第３壁部１３を基点に変形し、かつ第１壁部１１と第２壁部１２の他方から離間する方向に移動可能に構成されている。
【００１８】
図１に示す模型本体１０の上端には、タンポンの挿入口となる穴部１８の挿入開口１８ａが形成されている。穴部１８の挿入開口１８ａにおいて、第１壁部１１と第２壁部１２とは離間している。第３壁部１３は、タンポンの挿入する空間の終端を構成する穴部の底面１８ｂとなる。第１壁部１１と第２壁部１２は、第３壁部１３によって連結されている。第１壁部１１と第２壁部１２は、第３壁部１３以外の部分で互いに連結されてなく、第３壁部１３を基点に変形し、かつ第１壁部１１と第２壁部１２の他方から離間する方向に移動可能に構成されている。
【００１９】
第１壁部１１と第２壁部１２との間の空間である穴部１８は、アプリケーター７１が挿入され、アプリケーター７１から押し出された吸収体４が保持される収容部となる。穴部の挿入開口１８ａから一定距離（収容部の挿入方向中央部）までの空間は、アプリケーター７１が収容される空間となり、一定距離（収容部の挿入方向中央部）から穴部の底面１８ｂまでの空間は、アプリケーターが押し出された吸収体が収容される空間となる。アプリケーター７１が収容される空間の方が、吸収体７４が収容される空間よりも大きく構成されている。穴部１８には、アプリケーターが収容される空間と、吸収体が収容される空間との境界となる段差が形成されている。
【００２０】
アプリケーターが収容される空間における第１壁部１１と第２壁部１２との距離は、衛生用品の外形と同じ寸法又は衛生用品の外形よりもわずかに小さく構成されている。吸収体が収容される空間における第１壁部１１と第２壁部１２との距離は、吸収体の外形と同じ寸法又は吸収体の外形よりもわずかに小さく構成されている。アプリケーターが収容される空間における第１壁部１１と第２壁部１２との距離を、衛生用品の外形よりも小さく構成することにより、アプリケーターを挿入するときの抵抗感を再現することができる。吸収体が収容される空間における第１壁部１１と第２壁部１２との距離を、吸収体の外形よりも小さく構成することにより、吸収体を穴部内に保持することができる。
【００２１】
一般的にタンポン用アプリケーター７１の直径は、１２．５ｍｍ〜２０ｍｍであり、吸収体の直径は、１０ｍｍ〜１９ｍｍである。また、タンポン用アプリケーター７１の挿入方向の長さは、１００ｍｍ〜１５０ｍｍである。タンポン用アプリケーター７１の身体への挿入部分（外筒７２の一部）の挿入方向における長さは、４０ｍｍ〜７０ｍｍである。
【００２２】
膣を模した穴部１８の挿入方向の長さは、実際に使うタンポンと同じサイズのものが挿入可能な寸法を想定して１１０ｍｍであり、模型本体１０の幅方向の長さは、６０ｍｍである。なお、穴部１８の長さは、５０〜１５０ｍｍであることが好ましく、６０〜１１０ｍｍが更に好ましい。また、模型本体１０の幅は、タンポンが挿入できればよく、特に限定されないが、股間のイメージを付与するため股間幅に近い２０〜１２０ｍｍであることが好ましく、５０〜１００ｍｍであることが更に好ましい。
【００２３】
なお、模型本体は、衛生用品の装着対象となる男性または女性の陰部を模したものをいう。模型の寸法は、衛生用品が無理なく装着することが可能であれば特に問わないが、１０代から５０代の男性または女性の陰部の平均値であることが好ましく、２０代から４０代の男性または女性の陰部の平均値であることがさらに好ましい。また、この「模型本体」は、実際の陰部に似せて作成してもよいが、対象者の嫌悪感を取り除くために衛生用品の装着方法を説明するために必要な部材のみを用いて陰部を簡略的に模したものであることが好ましく、対象者に安心感を与えるために明るく淡い色彩で彩色してもよい。また、対象者が衛生用品の装着手順の全てを観察できるように模型本体は、衛生用品が装着される部分の断面を模したものであることが好ましく、衛生用品の装着方向の断面を模したものであることがさらに好ましい。また、模型本体は、身体全体ではなく、衛生用品が装着される部分のみを模しているため、軽量であり持ち運びに便利である。更に模型本体を、衛生用品が着脱可能な程度に略原寸大にすることによって、対象者が実際に衛生用品を装着するときの状態を想像することが容易になる。
【００２４】
模型本体１０は、直方体形状である。外装体２０は、模型本体の四方を囲む部材である。外装体２０は、紙からなる。外装体２０は、模型本体１０の第１壁部１１に直交し、かつ第２壁部１２に直交する面に沿って配置された一対の固定部材を有する。固定部材は、図１に示す正面側に位置する第１固定部材２１と、図１に示す背面側に位置する第２固定部材２２と、を有する。
【００２５】
第１固定部材２１は、模型１を正面から視認した際に模型１の外側から穴部１８が視認可能に構成されている。具体的には、第１固定部材に２１は、穴部１８形状に沿った窓部２１Ａが形成されている。窓部２１Ａは、第１固定部材２１に形成された開口である。
【００２６】
第１固定部材２１の外面には、衛生用品の使用方法を説明するための注意書が記載されている。第１固定部材２１は、説明書として機能する。
【００２７】
第２固定部材２２は、第１固定部材２１の窓部２１Ａが形成されてなく、穴部１８を囲む一側面を構成する。なお、第１固定部材２１は、窓部２１Ａを構成する開口を覆う透明な部材を備えていてもよく、当該構成によれば、窓部の開口を覆う透明な部材も、穴部１８を囲む一側面を構成する。
【００２８】
外装体２０は、模型本体１０の外周面のうち、挿入方向に沿いかつ第１固定部材２１及び第２固定部材２２と直交する面を覆う一対のカバー部材を備える。一対のカバー部材は、第１カバー部材２３と、第２カバー部材２４と、を有する。第１固定部材２１、第１カバー部材２３、第２固定部材２２、及び第２カバー部材２４は、互いに連結されており、模型本体１０の外周面を覆う筒状となる。第１カバー部材２３は、模型本体１０の外周面から離間して配置されており、第２カバー部材２４は、模型本体１０の外周面から離間して配置されている。
【００２９】
衛生用品の身体への装着方法を説明するために模型を用いることによって、文章やイラストで説明するよりも詳細に装着方法を説明することが可能となる。
【００３０】
第１壁部１１と第２壁部１２のうち少なくともいずれか一方が他方から離間する方向に移動可能であるため、穴部１８の空間容積を変更することができる。よって、異なるサイズの衛生用品であっても、適切な装着感を体感できる。例えば、小さいサイズに合わせて穴部を構成することにより、大きなサイズの衛生用品を用いた際に穴部１８を広げることができ、小さいサイズから大きいサイズまで装着態様を体感させることができる。
【００３１】
なお、本実施の形態における第１壁部１１が形成された第１膣形成部１５と、第２壁部１２が形成された膣形成部１６は、いずれも外装体に固定されてなく、いずれも幅方向に移動可能に構成されている。
【００３２】
第１壁部１１と第２壁部１２のうち少なくともいずれか一方は、挿入開口から収容部の挿入方向中央までの領域において、他方から離間する方向に移動可能に構成されている。挿入開口１８ａから収容部の挿入方向中央までの領域において、他方から離間する方向に移動可能に構成されているため、タンポンの装着態様を体感する際に、アプリケーターの外筒が挿入される部分の容積を変化させることができ、種々のサイズのタンポンに対応することができる。
【００３３】
模型本体１０の穴部１８の一側面を構成する第２固定部材２２を備えているため、第２固定部材２２に沿ってタンポンを挿入できる。よって、穴部にタンポンを挿入する際に、穴部１８の奥行方向Ｄにタンポンの収容方向がずれることを抑制し、安定した状態でタンポンを穴部に挿入できる。
【００３４】
模型本体１０の第１壁部１１の一部及び第２壁部１２の一部は、第１固定部材２１又は第２固定部材２２に接合されていてもよい。第１壁部１１の一部及び第２壁部１２の一部を固定部材に接合することにより、タンポンの三方を囲む壁部同士の位置を固定することができる。よって、穴部の断面形状を維持することができ、使用者に所定の感覚を体感させることができる。なお、所定の感覚とは、タンポンを膣内に挿入した際の押し込む感覚であり、具体的には、挿入時の抵抗力が１Ｎ〜１．５Ｎとなる感覚である。
【００３５】
模型１は、第１カバー部材２３及び第２カバー部材２４を備えるため、模型本体１０の外側を保護することができ、手で模型１を把持した際に模型本体１０の位置がずれることを抑制できる。
【００３６】
図４は、図２の断面を基準とした断面におけるアプリケーターを挿入した状態を示した図である。図４（ａ）は、アプリケーターを挿入する前の状態を示す図である。図４（ｂ）は、アプリケーターを挿入した状態を示した図である。第１カバー部材２３と模型本体１０との間には、空間が設けられている。そして、アプリケーター７１を挿入することにより、アプリケーター７１の外面によって第１壁部１１が押圧されて、第１膣形成部１５が第１カバー部材２３側に移動する。また、アプリケーター７１の外面によって第２壁部１２が押圧されて、第２膣形成部１６が第２カバー部材２４側に移動する。よって、模型本体１０の周囲に第１膣形成部１５と第２膣形成部が移動可能な空間が形成されているため、カバー部材と模型本体が当たることによって模型本体の変形が抑制されることを防止できる。
【００３７】
また、模型本体１０は、弾力性及び摩擦抵抗性を有する弾性素材からなる。第１壁部１１及び第２壁部１２が弾性変形するため、タンポンをスムーズに出し入れでき、かつ挿入されたタンポンを保持できる。弾力性及び摩擦抵抗性を有する弾性素材としては、ウレタンフォーム、弾力性を有する各種合成樹脂発泡体やシリコン、ゴム等を例示でき、これらのいずれかの素材からなることが好ましい。これによって対象者がタンポンを実際に装着したときに手に伝わる感触や抵抗を再現することが可能となる。
【００３８】
次いで、変形例に係る模型について説明する。なお、変形例の説明においては、上述の実施形態と異なる構成のみ説明し、実施形態と同様の構成については、同符号を用いて説明を省略する。図５は、変形例１に係る模型１Ａの正面図である。変形例１に係る模型１Ａは、穴部１８の断面形状が挿入方向において一定である。また、模型１Ａの第２固定部材２２には、衛生用品の挿入方向Ｌに沿ってスリット２５が形成されている。スリット２５は、穴部１８を囲む一側面を構成する領域に形成されている。
【００３９】
アプリケーター７１によって第１壁部１１及び第２壁部１２が押圧された際に、第２固定部材２２がスリット２５を介して幅方向に分離可能である。第２固定部材２２がスリット２５を介して幅方向に分離可能することによって、穴部１８の容積が変更される。また、アプリケーター７１によって第１壁部１１及び第２壁部１２が押圧された際に、第２固定部材２２がスリット２５を基点に奥行方向Ｄに変形することによっても、穴部１８の容積が変更される。このように、穴部１８の容積が変更可能に構成されているため、大きいサイズのタンポンを挿入する際であっても、抵抗感を抑制し、初心者のタンポンの使用に対する不安感を抑制できる。
【００４０】
図６は、変形例２に係る模型１Ｂの正面図である。変形例２に係る模型１Ｂの第２固定部材２２には、周囲の領域より剛性が低い脆弱部としてのミシン目２６が衛生用品の挿入方向Ｌに沿って形成されている。ミシン目２６は、穴部１８を囲む一側面を構成する領域に形成されている。
【００４１】
変形例２に係る模型１Ｂによっても、アプリケーター７１によって第１壁部１１及び第２壁部１２が押圧された際に、第２固定部材２２がミシン目２６を介して幅方向に分離可能である。第２固定部材２２がミシン目２６を介して幅方向に分離可能することによって、穴部１８の容積が変更される。また、アプリケーター７１によって第１壁部１１及び第２壁部１２が押圧された際に、第２固定部材２２がミシン目２６を基点に奥行方向Ｄに変形することによっても、穴部１８の容積が変更される。このように、穴部１８の容積が変更可能に構成されているため、大きいサイズのタンポンを挿入する際であっても、抵抗感を抑制し、初心者のタンポンの使用に対する不安感を抑制できる。
【００４２】
なお、脆弱部は、ミシン目の周囲の第２固定部材よりも剛性が低く構成されていればよく、ミシン目以外の構成であってもよい。例えば、連続した切れ込み線の一部が粘着テープやホットメルトで固定される構成であってもよい。
【００４３】
図７は、図２の断面を基準とした変形例３に係る模型１Ｃの断面図である。変形例３に係る模型１Ｃは、第１壁部１１と第２壁部１２との間隔が奥行方向において異なるように構成されている。具体的には、第１壁部１１と第２壁部１２との間隔は、穴部１８の奥行方向Ｄの中心における間隔よりも穴部１８の奥行方向の外側端部における間隔が短い。第穴部の奥行方向の外側端部における間隔が短いため、衛生用品の挿入時に衛生用品の位置が奥行方向においてずれることを抑制でき、穴部に衛生用品をスムーズに挿入できる。更に、穴部の奥行方向の外側端部における間隔が短いため、一旦挿入された衛生用品が抜けにくくなる。
【００４４】
本実施の形態に係る模型を対象者に提供することによって、対象者に衛生用品の理解を促すことができる。対象者への模型の提供は、模型単体であってもよいし、対象となる衛生用品を収容した収容体に模型を付した衛生用品の収容体として、対象者に提供してもよい。
【００４５】
次いで、実施の形態に係る衛生用品の収容体について説明する。図８は、衛生用品の収容体の斜視図５０である。衛生用品の収容体５０は、模型１と、模型１に装着される衛生用品であるタンポンを複数収容した包装体４０と、を有する。例えば、タンポンを収容したタンポンの包装体４０に模型１を付すことにより、タンポンを購入した対象者が、模型１を通じてタンポン使用方法を理解することができる。
【００４６】
よって、初心者の対象者の不安感が抑制され、未だタンポンを使用したことがないユーザにもタンポンの使用や購入を促すことができる。また、模型を通じてタンポンの使用方法を理解したり、タンポンの使用方法を練習したりできるため、実際の使用時にタンポンを正しい位置に挿入し易くなる。タンポンを正しい位置に装着することにより、使用時における使用者の痛みや違和感を抑制できる。
【００４７】
本発明は、ここでは記載していない様々な実施の形態などを含むことは勿論である。したがって、本発明の技術的範囲は、上述の説明から妥当な特許請求の範囲に係る発明特定事項によってのみ定められるものである。
【００４８】
例えば、本実施の形態の模型は、第１壁部と第２壁部の両方が幅方向外側に向かって移動可能に構成されているが、第１壁部と第２壁部のうち一方が幅方向外側に向かって移動可能に構成されていてもよい。
【００４９】
第１壁部と第２壁部の両方が幅方向外側に向かって移動可能な構成にあっては、穴部の挿入方向全域において第１壁部と第２壁部が移動可能であってもよいし、第１壁部と第２壁部が収容部の挿入方向中央部までの領域において移動可能であってもよい。
【００５０】
模型は、外装体を備えてなくてもよく、外装体のみによって構成されていてもよく、固定部材やカバー部材を備えていなくてもよい。第１壁部と第２壁部は、固定部材に接合されていてもよいし、接合されていなくてもよい。
【符号の説明】
【００５１】
１０…模型本体
１１…第１壁部
１２…第２壁部
１３…第３壁部
１５…第１膣形成部
１６…第２膣形成部
１８…穴部
２０…外装体
２１…第1固定部材
２２…第２固定部材
２３…第１カバー部材
２４…第２カバー部材
４０…包装体
５０…衛生用品の収容体
７１…タンポン用アプリケーター
【図１】
2014123022.tif 000003
【図２】
2014123022.tif 000004
【図３】
2014123022.tif 000005
【図４】
2014123022.tif 000006
【図５】
2014123022.tif 000007
【図６】
2014123022.tif 000008
【図７】
2014123022.tif 000009
【図８】
2014123022.tif 000010